(57)【特許請求の範囲】
【請求項１】
電気光学パネルと、該電気光学パネルに対して重ねられた回路基板とを有し、前記電気光学パネルおよび前記回路基板の対向する側の面にパネル側端子および回路基板側端子がそれぞれ形成された電子光学ユニットにおいて、
前記電気光学パネルに裏面側を向けて重ね合わされたフレキシブル基板を有し、
該フレキシブル基板は、前記パネル側端子よりも接続抵抗が小さく且つ表面側に形成された複数の表面側端子と、前記パネル側端子よりも接続抵抗が小さく且つ裏面側に形成された複数の裏面側端子と、前記表面側端子と前記裏面側端子とを電気的に接続する複数のスルーホールとを備え、
前記裏面側端子は、前記パネル側端子に対して導電材によって電気的に接続され、
前記表面側端子には、電子部品が電気的に接続され、前記フレキシブル基板を挟んで前記電気光学パネルと前記電子部品とが重なって電気的に接続されていることを特徴とする電気光学ユニット。
【請求項２】
請求項１において、前記フレキシブル基板は、前記スルーホールが形成されている領域も含めて前記電気光学パネルに重ね合わされていることを特徴とする電気光学ユニット。
【請求項３】
請求項１において、前記フレキシブル基板は、全体が前記電気光学パネルに重ね合わされていることを特徴とする電気光学ユニット。
【請求項４】
請求項１において、前記フレキシブル基板は、前記スルーホールが形成されている領域が前記電気光学パネルの端縁からはみ出していることを特徴とする電気光学ユニット。
【請求項５】
請求項１ないし４のいずれかにおいて、前記電子部品には、前記フレキシブル基板と前記回路基板との間に挟まれた状態で前記表面側端子のうちの第１の表面側端子、および前記回路基板側端子に弾性をもって接するコネクタ電極を備えたコネクタが含まれていることを特徴とする電気光学ユニット。
【請求項６】
請求項１ないし４のいずれかにおいて、前記電子部品には、前記表面側端子のうちの第２の表面側端子に表面実装された電気回路素子が含まれていることを特徴とする電気光学ユニット。
【請求項７】
請求項１ないし４のいずれかにおいて、前記電子部品には、前記フレキシブル基板と前記回路基板との間に挟まれた状態で前記表面側端子のうちの第１の表面側端子、および前記回路基板側端子に弾性をもって接するコネクタ電極を備えたコネクタと、前記表面側端子のうちの第２の表面側端子に表面実装された電気回路素子とが含まれていることを特徴とする電気光学ユニット。
【請求項８】
請求項１ないし７のいずれかにおいて、前記電気光学パネルには駆動用ＩＣがＣＯＧ実装されているとともに、前記パネル側端子には、当該駆動用ＩＣに対する入出力端子が含まれていることを特徴とする電気光学ユニット。
【請求項９】
請求項６または７において、前記電気光学パネルには駆動用ＩＣがＣＯＧ実装されているとともに、前記パネル側端子には、当該駆動用ＩＣに対する入出力端子が含まれており、
前記電気回路素子は、前記駆動用ＩＣを動作させるための外付け素子であることを特徴とする電気光学ユニット。
【請求項１０】
請求項９において、前記外付け素子は、表面実装型のキャパシタであることを特徴とする電気光学ユニット。
【請求項１１】
請求項８ないし１０のいずれかにおいて、前記駆動用ＩＣの実装領域から前記電気光学パネルの画像表示領域に向けて複数の電極パターンが延びていることを特徴とする電気光学ユニット。
【請求項１２】
請求項５または７において、前記第１の表面側端子は、該第１の表面側端子が前記スルーホールおよび前記裏面側端子を経由して電気的に接続する前記パネル側端子よりも広いピッチで複数、形成されていることを特徴とする電気光学ユニット。
【請求項１３】
請求項１２において、前記第１の表面側端子はいずれも、少なくとも１本の前記パネル側端子と平面的に重なる領域に形成されていることを特徴とする電気光学ユニット。
【請求項１４】
請求項１ないし１３のいずれかにおいて、前記パネル側端子は、ＩＴＯ膜によって形成されていることを特徴とする電気光学ユニット。
【請求項１５】
請求項１ないし１４のいずれかにおいて、前記電気光学パネルは、液晶パネルであることを特徴とする電気光学ユニット。
【請求項１６】
請求項１ないし１５のいずれかにおいて、前記導通材は、異方性導電剤であることを特徴とする電気光学ユニット。
【請求項１７】
請求項１ないし１６のいずれかに規定する電気光学ユニットを有することを特徴とする電子機器。
【発明の詳細な説明】
【０００１】
【発明の属する技術分野】
本発明は、電気光学パネルと回路基板とが重ねて配置された電気光学ユニット、およびこの電気光学ユニットを用いた電子機器に関するものである。さらに詳しくは、電気光学パネルに形成したパネル側端子に対する電気的な接続構造に関するものである。
【０００２】
【従来の技術】
各種の電子機器のうち、携帯電話機は、例えば、図２に示すように、下ケース６、この携帯電話機１を機能させるための各種の電気回路が形成された回路基板７、照明装置１０、光拡散シート８、電気光学パネルとして各種の表示を行なう液晶パネル４００、および上ケース９がこの順に重ねられた構成になっている。照明装置１０は、ＬＥＤなどからなる光源１１、導光板１２、第１の反射材１５、およびシート状の第２の反射材１７から構成されている。
【０００３】
この照明装置１０において、導光板１２には、液晶パネル４００が配置される表示領域１２１が矩形の凹部として形成されている。この表示領域１２１において、底壁１２４の先端側の隅部分には、液晶パネル４００と回路基板７とを電気的に接続するための矩形の貫通穴１２５が形成されている。第１の反射材１５には、導光板１２の矩形の表示領域１２１の周りを三方から囲む３つの側壁部分１５１、１５２、１５３と、表示領域１２１の下面に重ねられる底壁部分１５４とが形成されている。この底壁部分１５４にも、導光板１２の貫通穴１２５と重なる位置に矩形の貫通穴１５５が形成されている。
【０００４】
従って、図１５に示すように、回路基板７の上面側に、第１の反射材１５、導光板１２、光反射シート８および液晶パネル４００を重ねて電気光学ユニット１００を構成したとき、回路基板７と液晶パネル４００との間には、第１の反射材１５および導光板１２が介在するが、回路基板７と液晶パネル４００とは、貫通穴１２５、１５５を介して対向している。それ故、回路基板７と液晶パネル４００との間にラバーコネクタ６０を挟持させると、ラバーコネクタ６０のコネクタ電極は、液晶パネル４００の入出力端子４８１に弾性をもって圧接するとともに、回路基板７の入出力端子７８１にも弾性をもって圧接する。よって、液晶パネル４００と回路基板７との間で入出力端子４８１、７８１同士を電気的に接続することができる。
【０００５】
このような構成の電気光学ユニット１００において、液晶パネル４００は、図１６に示すように、所定の間隙を介して貼り合わされた第１の透明基板４１０と第２の透明基板４２０との間に液晶（図示せず）が保持されている。また、第１の透明基板４１０および第２の透明基板４２０において、互いに対向する面には、ＩＴＯ膜（Ｉｎｄｉｕｍ  Ｔｉｎ  Ｏｘｉｄｅ／透明導電膜）によって電極パターン（図示せず）が形成されている。
【０００６】
ここで、第２の透明基板４２０が第１の透明基板４１０から張り出す部分４２５には、電極パターンの形成プロセスを利用して形成されたＩＴＯ膜によって、駆動用ＩＣ４９０を異方性導電剤などによってＣＯＧ実装するための端子（図示せず）、この駆動用ＩＣ４９０に対して信号などを入出力するための入出力端子４８１、および駆動用ＩＣ４９０に対して外付けされる昇圧用のキャパシタ９１を異方性導電剤などによって実装するための端子（図示せず）が形成されている。入出力端子４８１は、図１５を参照して説明したように、ラバーコネクタ６０を介して回路基板７の入出力端子７８１に電気的に接続されるものである。
【０００７】
【発明が解決しようとする課題】
しかしながら、従来の電気光学ユニット１００において、液晶パネル４００に形成した端子は、画素駆動用の電極パターンと同時形成されたＩＴＯ膜からなり、このようなＩＴＯ膜では接続抵抗が大きく、かつ、膜厚のばらつきも大きいため、液晶パネル４００に対して電子部品を電気的に接続したとき、以下のような問題点が発生しやすい。
【０００８】
まず、表面実装型のキャパシタ９１を実装した端子がＩＴＯ膜から形成されているため、接続抵抗が大きく、回路定数がばらつきやすいという問題点がある。
【０００９】
また、回路基板７の入出力端子７８１は、表面に金メッキが施されているため、ラバーコネクタ６０のコネクタ電極との電気的な接続部分は、圧接しているだけでも接続抵抗が小さく、かつ、その経時的な抵抗変化も問題とならないのに対して、液晶パネル４００の入出力端子４８１は、ＩＴＯ膜からなるため、液晶パネル４００の入出力端子４８１とラバーコネクタ７９のコネクタ電極との電気的な接続部分は、圧接しているだけでは接続抵抗が大きく、かつ、その抵抗が経時的に増大するという問題点がある。このような接続抵抗の問題は、液晶パネル４００で表示を行なったとき、不点灯や表示が薄くなるという問題を引き起こす。
【００１０】
また、電気光学ユニット１００において、駆動用ＩＣ４９０から液晶パネル４００の画像表示領域４０１に向けては、多数の電極パターンを延ばす必要があり、かつ、駆動用ＩＣ４９０の実装領域の周辺は、表示に実質的に寄与しないので、入出力端子４８１のピッチを狭めることにより、これらの端子形成領域を狭めたいという要求がある。
【００１１】
しかしながら、液晶パネル４００の入出力端子４８１と、回路基板７の入出力端子７８１とを電気的に接続するラバーコネクタ６０では、コネクタ電極が端子に対して弾性をもって接するという構造のため、コネクタ電極には、かなり広めのピッチを確保しておく必要がある。従って、従来は、ラバーコネクタ６０のコネクタ電極のピッチに合わせて入出力端子４８１にも広いピッチを確保しなければならないため、液晶パネル４００において、入出力端子４８１の形成領域を狭めることができない。それ故、液晶パネル４００では、画像の表示に直接、寄与しない領域を広く確保せざるを得ないという問題点がある。更には、電極パターンの引きまわし距離が長いため、その抵抗値が大きくなり、入力信号の電圧降下が生じてしまうという問題点もある。
【００１２】
以上の問題点に鑑みて、本発明の課題は、電気光学パネルに対して電子部品を良好に電気的に接続することのできる電気光学ユニット、およびこの電気光学ユニットを用いた電子機器を提供することにある。
【００１３】
また、本発明の課題は、さらに電気光学パネルの入出力端子を狭いピッチで形成しても、回路基板側にラバーコネクタなどを介して電気的な接続を図ることのできる電気光学ユニット、およびこの電気光学ユニットを用いた電子機器を提供することにある。
【００１４】
【課題を解決するための手段】
上記課題を解決するため、本発明では、電気光学パネルと、該電気光学パネルに対して重ねられた回路基板とを有し、前記電気光学パネルおよび前記回路基板の対向する側の面にパネル側端子および回路基板側端子がそれぞれ形成された電子光学ユニットにおいて、前記電気光学パネルに裏面側を向けて重ね合わされたフレキシブル基板を有し、該フレキシブル基板は、前記パネル側端子よりも接続抵抗が小さく且つ表面側に形成された複数の表面側端子と、前記パネル側端子よりも接続抵抗が小さく且つ裏面側に形成された複数の裏面側端子と、前記表面側端子と前記裏面側端子とを電気的に接続する複数のスルーホールとを備え、前記裏面側端子は、前記パネル側端子に対して導電材によって電気的に接続され、前記表面側端子には、電子部品が電気的に接続され、前記フレキシブル基板を挟んで前記電気光学パネルと前記電子部品とが重なって電気的に接続されていることを特徴とする。
【００１５】
本発明において、電気光学パネルのパネル側端子に電気的に接続されているのは、フレキシブル基板の裏面側端子であり、このフレキシブル基板の表面側端子に表面実装型のキャパシタやラバーコネクタなどの電子部品が電気的に接続している。ここで、フレキシブル基板は、可撓性を有しているため、パネル側端子に膜厚のばらつきがあっても、電気光学パネルのパネル側端子にフレキシブル基板の裏面側端子を電気的に接続する際、あるいはフレキシブル基板の表面側端子に電子部品を電気的に接続する際、パネル側端子の膜厚のばらつきをを吸収できる。しかも、フレキシブル基板の端子には通常、金メッキが施されている。このため、表面実装型のキャパシタやラバーコネクタなどの電子部品をフレキシブル基板を介してパネル側端子に電気的に接続させた場合には、これらの電子部品を直接、パネル側端子に電気的に接続した場合と違って、接続抵抗が初期的に大きいという問題、あるいは接続抵抗が経時的に増大するなどの問題が発生しない。
【００１６】
本発明において、前記フレキシブル基板は、前記スルーホールが形成されている領域も含めて前記電気光学パネルに重ね合わされている構成、あるいは前記フレキシブル基板の全体が前記電気光学パネルに重ね合わされている構成を採用することができる。このように構成すると、電気光学パネルおよびフレキシブル基板を含めた電気光学ユニットのサイズを小型化できる。
【００１７】
本発明において、前記フレキシブル基板は、前記スルーホールが形成されている領域が前記電気光学パネルの端縁からはみ出している構成であってもよい。このように構成すると、フレキシブル基板においてスルーホールが形成されている領域が電気光学パネルの端縁からはみ出ている分、フレキシブル基板の裏面側および表面側で配線パターンを引き回す領域が広い。それ故、パネル側端子をそれから離れた位置にあるフレキシブル基板の表面側端子に電気的にさせるのが容易である。
【００１８】
本発明において、前記電子部品には、例えば、前記フレキシブル基板と前記回路基板との間に挟まれた状態で前記表面側端子のうちの第１の表面側端子、および前記回路基板側端子に弾性をもって接するコネクタ電極を備えたコネクタが含まれている。このように構成すると、ラバーコネクタなどのコネクタは、パネル側端子に対して直接、圧接しているのではなく、フレキシブル基板の表面側端子に対して電気的に接続し、かつ、この表面側端子に対してスルーホールを経由して電気的に接続する裏面側端子は、パネル側端子に対して異方性導電剤などの導通材によって良好に電気的に接続している。ここで、フレキシブル基板の表面側端子には、ラバーコネクタなどのコネクタ電極が弾性をもって圧接している構造になっているが、フレキシブル基板の表面側端子には、通常、金メッキなどが施されているので、これらの電気的な接続部分は、圧接しているだけでも接続抵抗が小さく、かつ、その経時的な抵抗変化も問題とならない。また、ラバーコネクタなどのコネクタ電極は、回路基板側端子に弾性をもって圧接している構造になっているが、回路基板側力端子にも、通常、金メッキなどが施されているので、これらの電気的な接続部分は、圧接しているだけでも接続抵抗が小さく、かつ、その経時的な抵抗変化も問題とならない。それ故、電気光学パネルで表示を行なったとき、電気的な接続部分の抵抗の増大に起因して、不点灯や表示が薄くなるという問題を回避することができる。
【００１９】
本発明において、前記電子部品には、前記表面側端子のうちの第２の表面側端子に表面実装された電気回路素子が含まれている場合もある。このように構成した場合には、電気光学パネルの側で駆動用ＩＣから電気回路素子の実装領域まで配線パターンを複雑に引き回す必要がないので、配線パターンの配置を簡素化できる。また、電気光学パネルに形成したＩＴＯ膜などからなる端子に対して電気回路素子を異方性導電剤によって直接、電気的に接続する必要がなく、フレキシブル基板の表面側に形成された端子に対して、はんだなどによって電気的に接続すればよいので、この電気的な接続部分では、接続抵抗が小さく、かつ、その経時的な抵抗変化も問題とならない。
【００２０】
本発明において、前記電子部品には、前記フレキシブル基板と前記回路基板との間に挟まれた状態で前記表面側端子のうちの第１の表面側端子、および前記回路基板側端子に弾性をもって接するコネクタ電極を備えたコネクタと、前記表面側端子のうちの第２の表面側端子に表面実装された電気回路素子とが含まれていることもある。
【００２１】
本発明において、前記電気光学パネルには駆動用ＩＣがＣＯＧ実装されている場合があり、この場合、前記パネル側端子には、当該駆動用ＩＣに対する入出力端子が含まれている。このような構成の場合、前記電気回路素子は、例えば、前記駆動用ＩＣを動作させるための外付け素子である。このような外付け素子としては、例えば、表面実装型のキャパシタが用いられる。
【００２２】
本発明において、電気光学パネルに駆動用ＩＣを実装した場合、前記駆動用ＩＣの実装領域から前記電気光学パネルの画像表示領域に向けて複数の電極パターンが延びている。このようなタイプの電気光学ユニットにおいて、当該駆動用ＩＣに対する入出力端子を前記パネル側端子として形成しておけば、これらの入出力端子や電極パターンのレイアウト面で設計的な余裕をもたせることができる。
【００２３】
本発明において、前記第１の表面側端子については、該第１の表面側端子が前記スルーホールおよび前記裏面側端子を経由して電気的に接続する前記パネル側端子よりも広いピッチで複数、形成することが好ましい。本発明では、電気光学パネルのパネル側端子に直接、電気的に接続されているのは、フレキシブル基板の裏面側端子であり、このような裏面側端子とパネル側端子とは異方性導電剤などによって電気的に接続されているので、パネル側端子を狭いピッチで形成しても電気的な接続を図ることができる。また、回路基板側端子とパネル側端子とを電気的に接続するコネクタのコネクタ電極が直接、電気的に接続しているは、フレキシブル基板の表面側に形成した第１の表面側端子であり、このような第１の表面側端子は、フレキシブル基板の表面側に形成してあるので、コネクタ電極のピッチに合わせて広いピッチで形成することができる。従って、パネル側端子については、コネクタ電極のピッチに影響されることなく、狭いピッチで形成することができる。それ故、パネル側端子の形成領域を狭めることができるので、電気光学パネルにおいて、画像の表示に直接、寄与しない領域を狭めることができる。また、電極パターンの引きまわしを短くできるためその抵抗値を低く抑えることができる。しかも、フレキシブル基板において、裏面側端子と第１の表面側端子は、フレキシブル基板のスルーホールを介して電気的に接続しているので、パネル側端子と回路基板側端子とは、フレキシブル基板およびコネクタを介して電気的に接続することができる。また、電気光学パネルにおいて、パネル側端子は、ＩＴＯ膜などによって形成されることが多い。ＩＴＯ膜は金属に比較して抵抗値が大きいので接続抵抗が大きくなってしまう。また、ＩＴＯの膜厚がばらついた場合に、パネル側端子に直接、ラバーコネクタなどのコネクタ電極を圧接させると、この接続部分で、接続抵抗が初期的に大きいという問題、あるいは接続抵抗が経時的に増大するなどの問題が発生しやすい。しかるに本発明では、パネル側端子に直接、接続するのは、フレキシブル基板であり、このフレキシブル基板は、可撓性を有しているために、パネル側端子の膜厚のばらつきを吸収でき、かつ、フレキシブル基板の第１の表面側端子には通常、金メッキが施されている。それ故、ラバーコネクタなどのコネクタ電極が直接、パネル側端子に電気的に接続した場合と違って、接続抵抗が初期的に大きいという問題、あるいは接続抵抗が経時的に増大するなどの問題が発生しない。
【００２４】
本発明において、前記第１の表面側端子はいずれも、少なくとも１本の前記パネル側端子と平面的に重なる領域に形成されていることが好ましい。電気光学パネルにフレキシブル基板に異方性導電剤などによって実装するとき、ヘッドをフレキシブル基板の上面に当てて加熱、圧着するが、このときヘッドが当るのは、第１の表面側端子であり、この第１の表面側端子の下層側には、裏面側端子およびパネル側端子が存在している。従って、第１の表面側端子は、高低がない状態に形成されているので、ヘッドは、いずれの裏面側端子とパネル側端子との間にも均等に熱や圧力をかける。それ故、裏面側端子とパネル側端子は確実に電気的に接続する。
【００２５】
本発明において、前記パネル側端子は、例えば、ＩＴＯ膜である。このようなＩＴＯ膜は、前記電気光学パネルとして、液晶パネルなどを用いた場合、画素駆動用の電極パターンと同時形成することができる。
【００２６】
本発明において、前記電気光学パネルは、液晶パネルである。
【００２７】
本発明において、前記導通材は、例えば、異方性導電剤である。
【００２８】
本発明を適用した電気光学ユニットは、携帯電話機などといった電子機器の表示部として用いるのに適している。
【００２９】
【発明の実施の形態】
添付図面を参照して、本発明の実施の形態を説明する。
【００３０】
［実施の形態１］
（電子機器の全体構成）
図１は、本発明が適用された電子機器の一例である携帯電話機の外観を示す斜視図である。図２は、この携帯電話機の要部の構成を示す分解斜視図である。図３は、この携帯電話機において、回路基板、第１の反射材、第２の反射材、導光板、光拡散シート、液晶パネルを重ねて電気光学ユニットを構成した状態を拡大して示す縦断面図である。なお、本形態の電子機器および電気光学ユニットの基本的な構成は従来のものと共通するので、対応する部分には同一の符号を付して説明する。
【００３１】
図１において、本形態の携帯電話機１には、その上半部分に、電気光学パネルとしての液晶パネル４００を用いた表示部２が構成され、下半部には、複数のキーボタン１０１が配置された操作部３が構成されている。表示部２の上方位置にはスピーカ穴４が形成され、操作部３の下方位置にはマイク穴５が形成されている。
【００３２】
図２に示すように、携帯電話機１は、下ケース６、この携帯電話機１を機能させるための各種の電気回路が形成された回路基板７、照明装置１０、光拡散シート８、電気光学パネルとして各種の表示を行なう液晶パネル４００、および上ケース９がこの順に重ねられた構成になっている。なお、図２には、スピーカあるいはマイクなどの図示を省略してある。
【００３３】
照明装置１０は、ＬＥＤなどからなる光源１１、透明なプラスチック成形品などからなる導光板１２、プラスチック成形品などからなる第１の反射材１５、およびシート状の第２の反射材１７から構成されている。
【００３４】
照明装置１０において、導光板１２には、液晶パネル４００が配置される表示領域１２１が矩形の凹部として形成されているとともに、表示領域１２１に隣接する領域には、複数のキーボタン１０１が配置されるキーパッド領域１２２が形成されている。導光板１２の先端部分には、ＬＥＤなどからなる光源１１をそれぞれ配置する凹部１２３が２箇所に形成されている。
【００３５】
導光板１２の表示領域１２１では、底壁１２４の先端側の隅部分に、液晶パネル４００と回路基板７とを電気的に接続するための矩形の貫通穴１２５が形成されている。
【００３６】
第１の反射材１５には、導光板１２の矩形の表示領域１２１の周りを三方から囲む３つの側壁部分１５１、１５２、１５３と、表示領域１２１の下面に重ねられる底壁部分１５４とが形成されている。第１の反射材１５の底壁部分１５４には、導光板１２の凹部１２３と重なる位置に貫通穴１５９が形成されている。この貫通穴１５９は、回路基板７に第１の反射材１５および導光板１２を重ねたとき、回路基板７に実装されている光源１１を導光板１２の凹部１２３に通すための穴である。
【００３７】
また、第１の反射材１５の底壁部分１５４には、導光板１２の貫通穴１２５と重なる位置に矩形の貫通穴１５５も形成されている。
【００３８】
従って、図３に示すように、回路基板７の上面側に、第１の反射材１５、導光板１２、光拡散シート８、および液晶パネル４００を重ねて電気光学ユニット１００を組み立てたとき、回路基板７と液晶パネル４００との間には、第１の反射材１５および導光板１２が介在するが、回路基板７と液晶パネル４００とは、貫通穴１２５、１５５を介して対向している。それ故、後述するように、回路基板７と液晶パネル４００とが対向している部分にラバーコネクタなどを配置することにより、入出力端子４８１、７８１同士を電気的に接続することができる。
【００３９】
なお、図２において、上ケース９の操作部３、導光板１２のキーパッド領域１２２、およびシート状の第２の反射材１７には、透光性を有するキーボタン１０１が配置されるボタン穴９０、１２０、１７０が互いに重なる位置に形成され、これらの複数のボタン穴９０、１２０、１７０の内部にキーボタン１０１がそれぞれ配置される。
【００４０】
（液晶パネル４００の構成）
図４、図５および図６を参照して、本形態の携帯電話機１の電気光学ユニットにおいて電気光学パネルとして用いた液晶パネル４００の構成を説明する。
【００４１】
図４および図５はそれぞれ、液晶パネル４００を斜め下方からみたときの斜視図、および分解斜視図である。図６は、本形態の携帯電話機の電気光学ユニットにおいて、液晶パネルに形成されているパネル側端子の平面的な構成を拡大して示す説明図である。
【００４２】
図４および図５において、液晶パネル４００は、パッシブマトリクス型のカラー液晶パネルである。この液晶パネル４００では、所定の間隙を介してシール材４３０によって貼り合わされた矩形のガラスなどからなる一対の透明基板間にシール材４３０によって液晶封入領域４３５が区画されているとともに、この液晶封入領域４３５内に液晶が封入されている。この液晶封入領域４３５が画像を表示する画像表示領域４０１を構成する。
【００４３】
ここでは、前記一対の透明基板のうち、液晶封入領域４３５内で縦方向に延びる複数列の第１の電極パターン４４０が形成されている方の基板を第１の透明基板４１０とし、液晶封入領域４３５内で横方向に延びる複数列の第２の電極パターン４５０が形成されている方の基板を第２の透明基板４２０とする。
【００４４】
ここに示す液晶パネル４００は透過型であり、図２に示す照明装置１０をバックライトとして所定の表示を行なう。このため、第２の透明基板４２０の外側表面には偏光板４６１が貼られ、第１の透明基板４１０の外側表面には偏光板４６２が貼られている。なお、図示を省略するが、第２の透明基板４２０には、第１の電極パターン４４０と第２の電極パターン４５０との交点に相当する領域に、赤（Ｒ）、緑（Ｇ）、青（Ｂ）のカラーフィルタが形成され、これらのカラーフィルタの表面側に絶縁性の平坦化膜、第２の電極パターン４５０、および配向膜がこの順に形成されている。これに対して、第１の透明基板４１０には、第１の電極パターン４４０および配向膜がこの順に形成されている。この液晶パネル４００において、第１の電極パターン４４０および第２の電極パターン４５０は、いずれもＩＴＯ膜によって形成されている。
【００４５】
液晶パネル４００では、外部との間での信号の入出力および基板間の導通のいずれを行うにも、第１の透明基板４１０および第２の透明基板４２０の同一方向に位置する各基板辺４１８、４２８付近において第１の透明基板４１０および第２の透明基板４２０のそれぞれに形成されている第１の端子形成領域４１１および第２の端子形成領域４２１が用いられる。第２の透明基板４２０としては、第１の透明基板４１０よりも大きな基板が用いられ、第１の透明基板４１０と第２の透明基板４２０とを貼り合わせたときに第１の透明基板４１０の基板辺４１８から第２の透明基板４２０が張り出す部分４２５に駆動用ＩＣ４９０がＣＯＧ実装されている。このため、第２の透明基板４２０では、駆動用ＩＣ４９０の実装領域から画像表示領域４０１に向かって第２の電極パターン４５０等のパターンが多数延びている。
【００４６】
ここで、第２の端子形成領域４２１は、駆動用ＩＣ４９０より液晶封入領域４３５の側に位置する部分が第１の透明基板４１０の側との基板間導通用に用いられるので、第１の透明基板４１０との重なり部分に形成されている。また、第１の透明基板４１０において、第１の端子形成領域４１１は、第２の透明基板４２０の側との基板間導通に用いられるので、第２の透明基板４２０との重なり部分に形成されている。
【００４７】
これに対して、図６に拡大して示すように、第２の透明基板４２０の第２の端子形成領域４２１において、駆動用ＩＣ４９０より基板辺４２８の側に位置する部分には、複数のパネル側端子４８０が基板辺４２８に沿って一列に形成されている。これらのパネル側端子４８０は、駆動用ＩＣ４９０に対する入出力端子４８１、および駆動用ＩＣ４９０に対して外付けされる表面実装型の昇圧用のキャパシタ９１の電極が電気的に接続されるべき端子４８２からなる。
【００４８】
このように構成した第１の透明基板４１０と第２の透明基板４２０とを、図４および図５に示すように、基板間導通剤を含有するシール材４３０で貼り合わせて基板間で基板間導通用端子同士を導通させ、この状態で、第２の透明基板４２０の入出力端子４８１から駆動用ＩＣ４９０に信号入力すれば、駆動用ＩＣ４９０から出力された信号は、第１の電極パターン４４０および第２の電極パターン４５０に供給される。それ故、第１の電極パターン４４０と第２の電極パターン４５０との交点に相当する画素を各々駆動することができる。
【００４９】
このように構成した液晶パネル４００において、パネル側端子４８０（入出力端子４８１および端子４８２）は、いずれも第２の電極パターン４５０と同時形成されたＩＴＯ膜からなる。なお、第１の透明基板４１０および第２の透明基板４２０に形成されている基板間導通端子も第１の電極パターン４４０や第２の電極パターン４５０と同時形成されたＩＴＯ膜からなる。
【００５０】
（液晶パネル４００の端子に対する電気的な接続構造）
このように構成した液晶パネル４００のパネル側端子４８０（入出力端子４８１および端子４８２）に回路基板側端子７８１およびキャパシタ９１を電気的に接続するにあたって、本形態では、図７（Ａ）、（Ｂ）、図８（Ａ）、（Ｂ）、および図９に示すフレキシブル基板を用いる。
【００５１】
図７（Ａ）、（Ｂ）はそれぞれ、本形態で用いたフレキシブル基板７０を表面側から斜めに見た斜視図、およびこのフレキシブル基板７０を裏面側から斜めに見た斜視図である。図８（Ａ）は、本形態で用いたフレキシブル基板７０の表面側に形成した表面側端子および表面側配線パターンを実線で示すとともに、フレキシブル基板７０の裏面側に形成した裏面側端子および裏面側配線パターンを点線で示す説明図であり、図８（Ｂ）は、このフレキシブル基板７０の裏面側に形成した裏面側端子および裏面側配線パターンを実線で示すとともに、フレキシブル基板７０の表面側に形成した表面側端子および表面側配線パターンを点線で示す説明図である。図９は、図６に示した端子形成領域に図７（Ａ）、（Ｂ）、および図８（Ａ）、（Ｂ）に示すフレキシブル基板を重ねて実装した様子を示す説明図である。
【００５２】
図７（Ａ）、（Ｂ）、および図８（Ａ）、（Ｂ）において、本形態で用いたフレキシブル基板７０の表面側には、複数の表面側端子７１と、これらの表面側端子７１の各々からフレキシブル基板７０の端部に向かって延びた複数の表面側配線パターン７１０とが形成されている。これに対して、フレキシブル基板７０の裏面側には、複数の裏面側端子７２と、これらの裏面側端子７２の各々からフレキシブル基板７０の端部に向かって延びた複数の裏面側配線パターン７２０とが形成されている。ここで、表面側配線パターン７１０と裏面側配線パターン７２０とは、端部同士が平面的に重なっており、この重なり部分にはスルーホール７１３が形成されている。このため、表面側端子７１と裏面側端子７２とは、スルーホール７１３を経由して電気的に接続されている。
【００５３】
本形態において、複数の裏面側端子７２には、図６と図８（Ｂ）とを対比すればわかるように、フレキシブル基板７０を第２の透明基板２０の張り出し部分７２５に重ねたとき、入出力端子４８１に重なる第１の裏面側端子７２１と、キャパシタ９１と電気的に接続されるべき端子４８２に重なる第２の裏面側端子７２２とが含まれている。
【００５４】
また、図８（Ａ）、（Ｂ）を対比すればわかるように、表面側端子７１には、第１の裏面側端子７２１に対してスルーホール７１３を介して電気的に接続する第１の表面側端子７１１（コネクタ接続用端子）と、第２の裏面側端子７２２に対してスルーホール７１３を介して電気的に接続する第２の表面側端子７１２（キャパシタ実装用端子）とが含まれている。
【００５５】
ここで、表面側端子７１（第１の表面側端子７１１および第２の表面側端子７１２）、および裏面側端子７２（第１の裏面側端子７２１および第２の裏面側端子７２２）の表面には金メッキが施されている。
【００５６】
このように構成したフレキシブル基板７０を用いて、本形態では、以下に説明するようにして、液晶パネル４００の端子４８２にキャパシタ９１の電極を電気的に接続し、かつ、液晶パネル４００の入出力端子４８１に回路基板７の回路基板側端子７８１を電気的に接続する（図３を参照）。なお、回路基板７の回路基板側端子７８１も表面に金メッキが施されている。
【００５７】
まず、図９に示すように、フレキシブル基板７０の第２の表面側端子７１２に対して、キャパシタ９１をはんだにより表面実装する。
【００５８】
次に、キャパシタ９１が表面実装されたフレキシブル基板７０を、液晶パネル４００（第２の透明基板４２０）に裏面側を向けて第２の透明基板４２０の張り出し部分４２５に重なるように異方性導電剤を用いて実装する。その結果、フレキシブル基板７０は、第２の透明基板４２０に重なるように実装される。この状態で、フレキシブル基板７０は、スルーホール７１３が形成されている部分も含めて全体が第２の透明基板４２０と重なり、基板辺４２８からはみ出さない。
【００５９】
また、フレキシブル基板７０の裏面側と液晶パネル４００との間において、第１の裏面側端子７２１は、異方性導電剤によって液晶パネル４００の入出力端子４８１に電気的に接続され、第２の裏面側端子７２２は、異方性導電剤によって液晶パネル４００の端子４８２に電気的に接続される。
【００６０】
次に、図３に示すように、回路基板７の上面側に、第１の反射材１５、導光板１２および液晶パネル４００を重ねて電気光学ユニット１００を組み立てる。この際、フレキシブル基板７０と回路基板７との間にラバーコネクタ６０を配置する。
【００６１】
その結果、ラバーコネクタ６０のコネクタ電極は、フレキシブル基板７０の第１の表面側端子７１１に弾性をもって圧接するとともに、回路基板７の入出力端子７８１にも弾性をもって圧接する。従って、液晶パネル４００の入出力端子４８１と回路基板７の入出力端子７８１とは、フレキシブル基板７０の第１の裏面側端子７２１、スルーホール７１３、第１の表面側端子７１１、ラバーコネクタ６０のコネクタ電極を介して電気的に接続することになる。
【００６２】
また、キャパシタ９１は、フレキシブル基板７０の第２の表面側端子７１２、スルーホール７１３、第２の裏面側端子７２１、端子４８２を介して駆動用ＩＣ４９０に電気的に接続することになる。
【００６３】
（本形態の効果）
このように本形態では、液晶パネル４００のパネル側端子４８０（端子４８１、４８２）に直接、電気的に接続されているのは、フレキシブル基板７０の裏面側端子７２であり、このフレキシブル基板７０の表面側端子７１にキャパシタ９１やラバーコネクタ６０などの電子部品が電気的に接続している。ここで、フレキシブル基板７０は、可撓性を有しているため、液晶パネル４００の端子４８１、４８２を構成するＩＴＯ膜の厚さのばらつきを吸収でき、かつ、フレキシブル基板７０の裏面側端子７２には金メッキが施されているので、表面実装型のキャパシタ９１やラバーコネクタ６０を直接、液晶パネル４００の端子４８１、４８２に直接、電気的に接続した場合と違って、接続抵抗が初期的に大きいという問題、あるいは接続抵抗が経時的に増大するなどの問題が発生しない。
【００６４】
すなわち、表面実装型のキャパシタ９１は、液晶パネル４００の端子４８２に対して異方性導電剤によって直接、電気的に接続しているのではなく、フレキシブル基板７０の第２の表面側端子７１２に対してはんだによって電気的接続し、これらの第２の表面側端子７１２は、液晶パネル４００の端子４８２に良好に電気的に接続されている。このため、この部分での電気的な接続は、接続抵抗が小さく、かつ、その経時的な抵抗変化も問題とならない。
【００６５】
また、ラバーコネクタ６０は、液晶パネル４００の入出力端子４８１に直接、圧接しているのではなく、フレキシブル基板７０の第１の表面側端子７１１に対して圧接し、これらの第１の表面側端子７１１は、液晶パネル４００の入出力端子４８１に良好に電気的に接続されている。ここで、フレキシブル基板７０の第１の表面側端子７１１には、ラバーコネクタ６０のコネクタ電極が弾性をもって圧接しているだけの構造になっているが、フレキシブル基板６０の表面側端子７１には、金メッキが施されているので、これらの電気的な接続部分は、圧接しているだけでも接続抵抗が小さく、かつ、その経時的な抵抗変化も問題とならない。また、ラバーコネクタ６０のコネクタ電極は、回路基板７の入出力端子７８１に弾性をもって圧接しているだけの構造になっているが、この入出力端子７８１にも、金メッキなどが施されているので、これらの電気的な接続部分は、圧接しているだけでも接続抵抗が小さく、かつ、その経時的な抵抗変化も問題とならない。それ故、液晶パネル４００で表示を行なったとき、電気的な接続部分の抵抗の増大に起因して、不点灯や表示が薄くなるという問題を回避することができる。
【００６６】
［実施の形態１の変形例］
上記の実施の形態１において、フレキシブル基板７０は、スルーホール７１３が形成されている端部も含めて、その全体が液晶パネル４００に重ね合わされていたので、電気光学ユニット１００の小型化が図られていた。これに対して、本形態では、図１０に示すように、フレキシブル基板７０においてスルーホール７１３が形成されている領域が液晶パネル４００の端縁（第２の透明基板４２０の基板縁４８１）からはみ出している。その他の構成は実施の形態１と同様であるため、共通する部分には同一の符号を付して図示することにして、それらの説明を省略する。
【００６７】
このように構成すると、フレキシブル基板７０の端部が液晶パネル４００の端縁からはみ出ている分、フレキシブル基板７０の裏面側および表面側で配線パターンを引き回す領域が広い。それ故、フレキシブル基板７０を設計する際、設計の自由度が高いという利点がある。
【００６８】
［実施の形態２］
図１１は、本発明の実施の形態２に係る携帯電話機（電子機器）の電気光学ユニットにおいて、液晶パネルに形成されているパネル側端子の平面的な構成を拡大して示す説明図である。図１２（Ａ）は、この電気光学ユニットにおいて、液晶パネルに重ねたフレキシブル基板の表面側に形成した表面側端子および表面側配線パターンを実線で示すとともに、フレキシブル基板の裏面側に形成した裏面側端子および裏面側配線パターンを点線で示す説明図、図１２（Ｂ）は、このフレキシブル基板の裏面側に形成した裏面側端子および裏面側配線パターンを実線で示すとともに、フレキシブル基板の表面側に形成した表面側端子および表面側配線パターンを点線で示す説明図である。図１３は、この電気光学ユニットにおいて、図１１に示す液晶パネルの端子形成領域に図１２（Ａ）、（Ｂ）に示すフレキシブル基板を重ねて実装した様子を示す説明図である。
【００６９】
なお、本実施の形態２に係る携帯電話機、電気光学ユニット、および液晶パネルの基本的な構成は、実施の形態１で説明したものと同様であるため、対応する部分については同一の符号を付してそれらの説明を省略する。
【００７０】
本実施の形態でも、図４および図５を参照して説明したように、液晶パネル４００では、外部との間での信号の入出力、および基板間の導通のいずれを行うにも、第１の透明基板４１０および第２の透明基板４２０の同一方向に位置する各基板辺４１８、４２８付近において第１の透明基板４１０および第２の透明基板４２０のそれぞれに形成されている第１の端子形成領域４１１および第２の端子形成領域４２１が用いられる。第２の透明基板４２０としては、第１の透明基板４１０よりも大きな基板が用いられ、第１の透明基板４１０と第２の透明基板４２０とを貼り合わせたときに第１の透明基板４１０の基板辺４１８から第２の透明基板４２０が張り出す部分４２５に駆動用ＩＣ４９０がＣＯＧ実装され、この駆動用ＩＣ４９０の実装領域から画像表示領域４０１に向かって多数の電極パターンが延びている。
【００７１】
ここで、第２の端子形成領域４２１は、駆動用ＩＣ４９０より液晶封入領域４３５の側に位置する部分が第１の透明基板４１０の側との基板間導通用に用いられるので、第１の透明基板４１０との重なり部分に形成されている。また、第１の透明基板４１０において、第１の端子形成領域４１１は、第２の透明基板４２０の側との基板間導通に用いられるので、第２の透明基板４２０との重なり部分に形成されている。
【００７２】
これに対して、図１１に拡大して示すように、第２の透明基板４２０の第２の端子形成領域４２１において、駆動用ＩＣ４９０より基板辺４２８の側に位置する部分には、複数のパネル側端子４８０が基板辺４２８に沿って一列に形成されている。これらのパネル側端子４８０は、駆動用ＩＣ４９０に対する入出力端子４８１、および駆動用ＩＣ４９０に対して外付けされる表面実装型の昇圧用のキャパシタ９１の電極が電気的に接続されるべき端子４８２とからなる。
【００７３】
このように構成した液晶パネル４００において、パネル側端子４８０（入出力端子４８１および端子４８２）は、いずれも第２の電極パターン４５０（図５を参照）と同時形成されたＩＴＯ膜からなる。
【００７４】
このように構成した液晶パネル４００のパネル側端子４８０（入出力端子４８１および端子４８２）に回路基板側端子７８１およびキャパシタ９１を電気的に接続するにあたって、本形態では、図１２（Ａ）、（Ｂ）に示すフレキシブル基板７０を用いる。
【００７５】
図１２（Ａ）、（Ｂ）において、本形態で用いたフレキシブル基板７０の表面側には、複数の表面側端子７１と、これらの表面側端子７１の各々からフレキシブル基板７０の端部に向かって延びた表面側配線パターン７１０とが形成されている。これに対して、フレキシブル基板７０の裏面側には、複数の裏面側端子７２と、これらの裏面側端子７２の各々からフレキシブル基板７０の端部に向かって延びた裏面側配線パターン７２０とが形成されている。ここで、表面側配線パターン７１０の端部と、裏面側配線パターン７２０とは、端部同士が平面的に重なっており、この重なり部分にはスルーホール７１３が形成されている。このため、表面側端子７１と裏面側端子７２とは、スルーホール７１３を経由して電気的に接続されている。
【００７６】
本形態において、裏面側端子７２には、図１１と図１２（Ｂ）とを対比すればわかるように、フレキシブル基板７０を第２の透明基板２０の張り出し部分７２５に重ねたとき、入出力端子４８１に重なる第１の裏面側端子７２１と、キャパシタ９１の電極と電気的に接続されるべき端子４８２に重なる第２の裏面側端子７２２とが含まれている。
【００７７】
また、図１２（Ａ）、（Ｂ）を対比すればわかるように、表面側端子７１には、第１の裏面側端子７２１に対してスルーホール７１３を介して電気的に接続する第１の表面側端子７１１（コネクタ接続用端子）と、第２の裏面側端子７２２に対してスルーホール７１３を介して電気的に接続する第２の表面側端子７１２（キャパシタ実装用端子）とが含まれている。
【００７８】
ここで、表面側端子７１（第１の表面側端子７１１および第２の表面側端子７１２）、および裏面側端子７２（第１の裏面側端子７２１および第２の裏面側端子７２２）の表面には金メッキが施されている。
【００７９】
本形態では、図１１および図１２（Ａ）、（Ｂ）からわかるように、液晶パネル４００の第２の透明基板４２０上において、パネル側端子４８０（入出力端子４８１および端子４８２）は、かなり狭いピッチで形成されている。また、フレキシブル基板７０において、裏面側端子７２は、パネル側端子４８０（入出力端子４８１および端子４８２）に重なって直接、電気的に接続されるため、パネル側端子４８０と同様、かなり狭いピッチで形成されている。
【００８０】
これに対して、第１の表面側端子７１１は、入出力端子４８１および端子４８２よりも数が少ないが、パネル側端子４８０が形成されている領域全体を利用して形成されている。このため、第１の表面側端子７１１は、パネル側端子４８０よりも広いピッチで形成されている。このように構成するにあたって、本形態において、第１の表面側端子７１１については、１本あるいは複数本のパネル側端子４８０と平面的に重なった構造になっている。
【００８１】
また、第２の表面側端子７１２は、第１の表面側端子７１１から離れた領域において、ここに実装されるキャパシタ９１の電極ピッチに合わせて形成されているので、パネル側端子４８０のピッチよりもかなり広いピッチで形成されている。
【００８２】
このように構成したフレキシブル基板７０を用いて、本形態では、以下に説明するようにして、液晶パネル４００の端子４８２にキャパシタ９１の電極を電気的に接続し、かつ、液晶パネル４００の入出力端子４８１に回路基板７の回路基板側端子７８１を電気的に接続する（図３を参照）。なお、回路基板７の回路基板側端子７８１も表面に金メッキが施されている。
【００８３】
まず、図１３に示すように、フレキシブル基板７０の第２の表面側端子７１２に対して、キャパシタ９１をはんだにより表面実装する。
【００８４】
次に、キャパシタ９１が表面実装されたフレキシブル基板７０を、液晶パネル４００（第２の透明基板４２０）に裏面側を向けて第２の透明基板４２０の張り出し部分７２５に重なるように異方性導電剤を用いて実装する。その結果、フレキシブル基板７０は、第２の透明基板４２０に重なるように実装される。この状態で、フレキシブル基板７０において、スルーホール７１３が形成されている部分は、第２の透明基板４２０の基板辺４２８から張り出した状態となる。
【００８５】
また、フレキシブル基板７０の裏面側と液晶パネル４００との間において、第１の裏面側端子７２１は、異方性導電剤によって液晶パネル４００の入出力端子４８１に電気的に接続され、第２の裏面側端子７２２は、異方性導電剤によって液晶パネル４００の端子４８２に電気的に接続される。
【００８６】
次に、図３に示すように、回路基板７の上面側に、第１の反射材１５、導光板１２および液晶パネル４００を重ねて電気光学ユニット１００を組み立てる。この際、フレキシブル基板７０と回路基板７との間にラバーコネクタ６０を配置する。
【００８７】
その結果、ラバーコネクタ６０のコネクタ電極は、フレキシブル基板７０の第１の表面側端子７１１に弾性をもって圧接するとともに、回路基板７の入出力端子７８１にも弾性をもって圧接する。従って、液晶パネル４００の入出力端子４８１と回路基板７の入出力端子７８１とは、フレキシブル基板７０の第１の裏面側端子７２１、スルーホール７１３、第１の表面側端子７１１、ラバーコネクタ６０のコネクタ電極を介して電気的に接続することになる。
【００８８】
また、キャパシタ９１は、フレキシブル基板７０の第２の表面側端子７１２、スルーホール７１３、第２の裏面側端子７２１、端子４８２を介して駆動用ＩＣ４９０に電気的に接続することになる。
【００８９】
このように、本形態の電気光学ユニット１００および携帯電話機１では、液晶パネル４００のパネル側端子４８０に直接、電気的に接続されているのは、フレキシブル基板７０の裏面側端子７２（第１の裏面側端子７２１および第２の裏面側端子７２２）であり、これらの裏面側端子７２とパネル側端子４８０とは異方性導電剤などによって電気的に接続されているので、パネル側端子４８０を狭いピッチで形成しても電気的な接続を図ることができる。また、回路基板側端子７８１と液晶パネル４００の入出力端子４８１とを電気的に接続するコネクタ６０のコネクタ電極が直接、電気的に接続しているは、フレキシブル基板７０の第１の表面側端子７１１であり、このような第１の表面側端子７１１は、フレキシブル基板７０の表面側に形成してあるので、コネクタ電極のピッチに合わせて広いピッチで形成することができる。従って、入出力端子４８１については、コネクタ電極のピッチに影響されることなく、狭いピッチで形成することができる。それ故、パネル側端子４８０の形成領域を狭めることができるので、液晶パネル４００において、画像の表示に直接、寄与しない領域を狭めることができる。更には、電極パターンの引きまわしが短くなることによりその抵抗値が小さくなり、入力信号の電圧降下を防止できる。
【００９０】
しかも、フレキシブル基板７０において、第１の裏面側端子７２１と第１の表面側端子７１１は、フレキシブル基板７０のスルーホール７１３を介して電気的に接続しているので、入出力端子４８１と回路基板側端子７８１とは、フレキシブル基板７０およびコネクタ６０を介して電気的に接続することができる。また、フレキシブル基板７０において、第２の裏面側端子７２２と第２の表面側端子７１２は、フレキシブル基板７０のスルーホール７１３を介して電気的に接続しているので、端子４８２と第２の表面端子７１２とをフレキシブル基板７０を介して電気的に接続することができる。
【００９１】
また、フレキシブル基板７０は、可撓性を有しているため、パネル側端子４８０を構成するＩＴＯ膜の厚さのばらつきを吸収でき、かつ、フレキシブル基板７０の裏面側端子７２には金メッキが施されているので、表面実装型のキャパシタ９１やラバーコネクタ６０を直接、液晶パネル４００のパネル側端子４８０に直接、電気的に接続した場合と違って、接続抵抗が初期的に大きいという問題、あるいは接続抵抗が経時的に増大するなどの問題が発生しない。
【００９２】
すなわち、ラバーコネクタ６０は、液晶パネル４００の入出力端子４８１に直接、圧接しているのではなく、液晶パネル４００の入出力端子４８１に第１の裏面側端子７２１が良好に電気的に接続されたフレキシブル基板７０の第１の表面側端子７１１に対して圧接している。このような状態において、フレキシブル基板７０の第１の表面側端子７１１には、ラバーコネクタ６０のコネクタ電極が弾性をもって圧接しているだけの構造になっているが、フレキシブル基板６０の表面側端子７１には、金メッキが施されているので、これらの電気的な接続部分は、圧接しているだけでも接続抵抗が小さく、かつ、その経時的な抵抗変化も問題とならない。また、ラバーコネクタ６０のコネクタ電極は、回路基板７の入出力端子７８１に弾性をもって圧接しているだけの構造になっているが、この入出力端子７８１にも、金メッキなどが施されているので、これらの電気的な接続部分は、圧接しているだけでも接続抵抗が小さく、かつ、その経時的な抵抗変化も問題とならない。それ故、液晶パネル４００で表示を行なったとき、電気的な接続部分の抵抗の増大に起因して、不点灯や表示が薄くなるという問題を回避することができる。
【００９３】
また、表面実装型のキャパシタ９１は、液晶パネル４００の端子４８２に対して異方性導電剤によって直接、電気的に接続しているのではなく、液晶パネル４００の端子４８２に第２の裏面側端子７２２が良好に電気的に接続されたフレキシブル基板７０の第２の表面側端子７１２に対して、はんだによって電気的接続しているので、この電気的な接続部分は、接続抵抗が小さく、かつ、その経時的な抵抗変化も問題とならない。
【００９４】
しかも、フレキシブル基板７０において、第１の表面側端子７１１については、コネクタ接続用端子としてラバーコネクタ６０のコネクタ電極に合わせて広いピッチをもって形成し、液晶パネル４００において、パネル側端子４８０については、狭い領域に多数形成するという観点から、第１の表面側端子７１１は、パネル側端子４８０の１本、あるいは複数本と平面的に必ず重なっている。従って、液晶パネル４００にフレキシブル基板７０に異方性導電剤などによって実装するときにはヘッドをフレキシブル基板７０の上面に当てて加熱、圧着するが、このときヘッドが当るのは、第１の表面側端子７１１であり、この第１の表面側端子７１１のいずれにおいても、下層側にはフレキシブル基板７０の裏面側端子７２、およびパネル側端子４８０が存在している。従って、第１の表面側端子７１１は、高低がない状態に形成されているので、ヘッドは、いずれの裏面側端子７２とパネル側端子４８０との間にも熱や圧力を均等にかける。それ故、フレキシブル基板７０と液晶パネル４００との間において、裏面側端子７２とパネル側端子４８０とは確実に電気的に接続する。
【００９５】
さらにまた、本形態において、フレキシブル基板７０は、図１１からわかるように、スルーホール７１３が形成されている領域が液晶パネル４００の基板辺４２８からはみ出すように配置される。従って、フレキシブル基板７０においてスルーホール７１３が形成されている領域がはみ出ている分、フレキシブル基板７０の表面側および裏面側で配線パターン７１０、７２０を引き回す領域が広い。それ故、パネル側端子４８０を裏面側端子７２と電気的に接続した後、そこから離れた位置にあるフレキシブル基板の表面側端子７１（第１の表面側端子７１１および第２の表面側端子７１２）に電気的にさせるのが容易である。
【００９６】
［実施の形態２の変形例］
上記の実施の形態２では、フレキシブル基板７０においてスルーホール７１３が形成されている端部が液晶パネル４００の端縁（第２の透明基板４２０の基板辺４２８）からはみ出している構成であったが、図１４に示すように、スルーホール７１３が形成されている端部も含めて、フレキシブル基板７０の全体が液晶パネル４００に重ね合わされている構成であってもよい。その他の構成は実施の形態２と同様であるため、共通する部分には同一の符号を付して図示することにして、それらの説明を省略する。
【００９７】
このように構成すると、液晶パネル４００およびフレキシブル基板７０を含めた電気光学ユニット１００全体を小型化できる。
【００９８】
［その他の実施の形態］
なお、上記の実施の形態１、２では、電子機器として携帯電話機１に本発明を適用した例を説明したが、その他の電子機器に本発明を適用してもよい。
【００９９】
また、本形態では、電気光学パネルとして、液晶パネル４００を用いた例を説明したが、電気光学パネルとしては、液晶パネル４００に限らず、有機エレクトロルミネッセンス型の電気光学パネルを用いた電子機器に本発明を適用してもよい。
【０１００】
さらに、本形態では、コネクタとしてラバーコネクタ６０を用いたが、弾性力をもって圧接を行なうものであれば、どのようなコネクタ電極を備えるコネクタでも用いることができる。例えば、くの字形状の金属バネの復元力によって圧接を行なうスプリング構造のコネクタなどを用いてもよい。
【０１０１】
【発明の効果】
以上説明したように、本発明に係る電気光学ユニットおよび電子機器において、電気光学パネルのパネル側端子に電気的に接続されているのは、フレキシブル基板の裏面側端子であり、このフレキシブル基板の表面側端子に電子部品が電気的に接続している。ここで、フレキシブル基板は、可撓性を有しているため、パネル側端子の膜厚のばらつきを吸収できる。また、フレキシブル基板の端子には通常、金メッキが施されている。従って、表面実装型のキャパシタやラバーコネクタを直接、パネル側端子に電気的に接続した場合と違って、接続抵抗が初期的に大きいという問題、あるいは接続抵抗が経時的に増大するなどの問題が発生しない。
【０１０２】
また、電気光学パネルのパネル側端子に直接、電気的に接続されているのは、フレキシブル基板の裏面側端子であり、裏面側端子とパネル側端子とは異方性導電剤などによって電気的に接続されているので、パネル側端子を狭いピッチで形成しても電気的な接続を図ることができる。さらに、回路基板側とパネル側端子とを電気的に接続するコネクタのコネクタ電極が直接、電気的に接続しているは、フレキシブル基板の表面側に形成した第１の表面側端子であり、このような第１の表面側端子は、フレキシブル基板の表面側に形成してあるので、コネクタ電極のピッチに合わせて広いピッチで形成することができる。従って、パネル側端子については、コネクタ電極のピッチに影響されることなく、狭いピッチで形成することができる。それ故、パネル側端子の形成領域を狭めることができるので、電気光学パネルにおいて、画像の表示に直接、寄与しない領域を狭めることができる。しかも、フレキシブル基板において、裏面側端子と第１の表面側端子は、フレキシブル基板のスルーホールを介して電気的に接続しているので、パネル側端子と回路基板側端子とは、フレキシブル基板およびコネクタを介して電気的に接続することができる。
【図面の簡単な説明】
【図１】本発明が適用される電子機器の一例である携帯電話機の外観を示す斜視図である。
【図２】図１に示す携帯電話機の要部の構成を示す分解斜視図である。
【図３】本発明の実施の形態１に係る携帯電話機において、回路基板、第１の反射材、第２の反射材、導光板、光拡散シート、液晶パネルを重ねた電気光学ユニットを拡大して示す縦断面図である。
【図４】本発明の実施の形態１に係る携帯電話機の電気光学ユニットにおいて、液晶パネルを斜め下方から見た斜視図である。
【図５】本発明の実施の形態１に係る携帯電話機の電気光学ユニットにおいて、液晶パネルを斜め下方から見た分解斜視図である。
【図６】本発明の実施の形態１に係る携帯電話機の電気光学ユニットにおいて、液晶パネルに形成されているパネル側端子の平面的な構成を拡大して示す説明図である。
【図７】（Ａ）、（Ｂ）はそれぞれ、本発明の実施の形態１に係る携帯電話機において、電気光学ユニットに用いたフレキシブル基板を表面側から斜めに見た斜視図、およびこのフレキシブル基板を裏面側から斜めに見た斜視図である。
【図８】（Ａ）は、本発明の実施の形態１に係る携帯電話機の電気光学ユニットにおいて、液晶パネルに重ねたフレキシブル基板の表面側に形成した表面側端子および表面側配線パターンを実線で示すとともに、フレキシブル基板の裏面側に形成した裏面側端子および裏面側配線パターンを点線で示す説明図、（Ｂ）は、このフレキシブル基板の裏面側に形成した裏面側端子および裏面側配線パターンを実線で示すとともに、フレキシブル基板の表面側に形成した表面側端子および表面側配線パターンを点線で示す説明図である。
【図９】本発明の実施の形態１に係る携帯電話機の電気光学ユニットにおいて、図７に示す液晶パネルの端子形成領域に図８（Ａ）、（Ｂ）に示すフレキシブル基板を重ねて実装した様子を示す説明図である。
【図１０】本発明の実施の形態１の変形例に係る携帯電話機の電気光学ユニットにおいて、液晶パネルの端子形成領域に図８（Ａ）、（Ｂ）に示すフレキシブル基板を重ねて実装した様子を示す説明図である。
【図１１】本発明の実施の形態２に係る携帯電話機の電気光学ユニットにおいて、液晶パネルに形成されているパネル側端子の平面的な構成を拡大して示す説明図である。
【図１２】（Ａ）は、本発明の実施の形態２に係る携帯電話機の電気光学ユニットにおいて、液晶パネルに重ねたフレキシブル基板の表面側に形成した表面側端子および表面側配線パターンを実線で示すとともに、フレキシブル基板の裏面側に形成した裏面側端子および裏面側配線パターンを点線で示す説明図、（Ｂ）は、このフレキシブル基板の裏面側に形成した裏面側端子および裏面側配線パターンを実線で示すとともに、フレキシブル基板の表面側に形成した表面側端子および表面側配線パターンを点線で示す説明図である。
【図１３】本発明の実施の形態２に係る携帯電話機の電気光学ユニットにおいて、図１１に示す液晶パネルの端子形成領域に図１２（Ａ）、（Ｂ）に示すフレキシブル基板を重ねて実装した様子を示す説明図である。
【図１４】本発明の実施の形態２の変形例に係る携帯電話機の電気光学ユニットにおいて、液晶パネルの端子形成領域に図１２（Ａ）、（Ｂ）に示すフレキシブル基板を重ねて実装した様子を示す説明図である。
【図１５】従来の携帯電話機に搭載した電気光学ユニットにおいて、回路基板、第１の反射材、第２の反射材、導光板、光拡散シート、液晶パネルを重ねた状態を拡大して示す縦断面図である。
【図１６】図１５に示す携帯電話機の電気光学ユニットにおいて、液晶パネルを斜め下方から見た斜視図である。
【符号の説明】
１  携帯電話機（電子機器）
２  表示部
３  操作部
４  スピーカ穴
５  マイク穴
６  下ケース
７  回路基板
８  光拡散シート
９  上ケース
１０  照明装置
１１  光源
１２  導光板
１５  第１の反射材
１７  第２の反射材
６０  ラバーコネクタ
７０  フレキシブル基板
７１  表面側端子
７２  裏面側端子
９１  キャパシタ
１００  電気光学ユニット
１０１  キーボタン
１２１  表示領域
１２２  キーパッド領域
１２３  導光板の凹部
１２４  導光板の底壁
１２５  導光板の貫通穴
１５１、１５２、１５３  第１の反射材の側壁部分
１５４  第１の反射材の底壁部分
１５５、１５９  第１の反射材の貫通穴
４００  液晶パネル（電気光学パネル）
４０１  画像表示領域
４１０  第１の透明基板
４１１  第１の端子形成領域
４２０  第２の透明基板
４２１  第２の端子形成領域
４２５  透明基板が張り出す部分
４４０  第１の電極パターン
４５０  第２の電極パターン
４６１、４６２  偏光板
４８０  パネル側端子
４８１  パネル側の入出力端子（パネル側端子）
４８２  パネル側の端子（パネル側端子）
４９０  駆動用ＩＣ
７１０  フレキシブル基板の表面側配線パターン
７１１  フレキシブル基板の第１の表面側端子
７１２  フレキシブル基板の第２の表面側端子
７１３  フレキシブル基板のスルーホール
７２０  フレキシブル基板の裏面側配線パターン
７２１  フレキシブル基板の第１の裏面側端子
７２２  フレキシブル基板の第２の裏面側端子
７８１  回路基板側の入出力端子（回路基板側端子）
【図１】
0003630116.tif 000002
【図２】
0003630116.tif 000003
【図３】
0003630116.tif 000004
【図４】
0003630116.tif 000005
【図５】
0003630116.tif 000006
【図６】
0003630116.tif 000007
【図７】
0003630116.tif 000008
【図８】
0003630116.tif 000009
【図９】
0003630116.tif 000010
【図１０】
0003630116.tif 000011
【図１１】
0003630116.tif 000012
【図１２】
0003630116.tif 000013
【図１３】
0003630116.tif 000014
【図１４】
0003630116.tif 000015
【図１５】
0003630116.tif 000016
【図１６】
0003630116.tif 000017